(57)【特許請求の範囲】
【請求項１】
立体状の商品見本を嵌合保持する複数の係合穴を有するディスプレイ台に取付けられる商品見本展示用アタッチメントであって、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することを特徴とする商品見本展示用アタッチメント。
【請求項２】
請求項１記載の商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることを特徴とする商品見本展示用アタッチメント。
【請求項３】
請求項２記載の商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端の間の間隔をシート状商品見本の厚みに対して比較的広い広幅としたことを特徴とする商品見本展示用アタッチメント。
【請求項４】
請求項１乃至請求項３のいずれかに記載の商品見本展示用アタッチメントにおいて、商品見本展示用アタッチメントは透明なプラスチックにより形成されていることを特徴とする商品見本展示用アタッチメント。
【請求項５】
請求項１乃至請求項４のいずれかに記載の商品見本展示用アタッチメントにおいて、左右に隣接する保持部の間に表示具を固着する係合部を有することを特徴とする商品見本展示用アタッチメント。
【請求項６】
請求項５に記載の商品見本展示用アタッチメントにおいて、係合部は表示具を挟持する挟持溝からなることを特徴とする商品見本展示用アタッチメント。
【請求項７】
請求項５に記載の商品見本展示用アタッチメントにおいて、係合部は表示具のポールを挿入係止する係止穴からなることを特徴とする商品見本展示用アタッチメント。
【請求項８】
請求項５に記載の商品見本展示用アタッチメントにおいて、表示具は宣伝広告表示板、或いは冷温強調板であることを特徴とする商品見本展示用アタッチメント。
【請求項９】
請求項８に記載の商品見本展示用アタッチメントにおいて、表示具は係合部に個別に固着される単一表示具、若しくは複数の係合部に跨る連接表示具からなることを特徴とする商品見本展示用アタッチメント。
【請求項１０】
本体キャビネットの前面を開閉する外扉に形成されたディスプレイ室内に配設され、立体状の商品見本を嵌合保持する複数の係合穴を有するディスプレイ台と、前記ディスプレイ台上に展示された複数の商品見本に対応して商品のコールド，ホット状態を表す冷温情報および商品の価格情報を表示する商品情報表示部品とを備え、前記商品情報表示部品をディスプレイ台の前面に設置してなる自動販売機の商品見本展示装置において、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを設け、当該商品見本展示用アタッチメントの透明板部を前記商品情報表示部品に装着して商品見本展示用アタッチメントをディスプレイ台に取り付けたことを特徴とする自動販売機の商品見本展示装置。
【請求項１１】
請求項１０に記載の自動販売機の商品見本展示装置において、商品情報表示部品は、商品の冷温情報および価格情報を表示する液晶表示部を有し、当該液晶表示部を保護する横長帯状の透明なカバー部材を装備してなる商品情報デジタルディスプレイであり、当該カバー部材に代えて商品見本展示用アタッチメントの透明板部を前記商品情報デジタルディスプレイの前面に装着してなることを特徴とする自動販売機の商品見本展示装置。
【請求項１２】
請求項１０に記載の自動販売機の商品見本展示装置において、商品情報表示部品は、商品のコールド，ホット状態を表す冷温情報を表示する冷温表示部材、および商品の価格情報を表示する価格表示部材からなり、前記商品見本展示用アタッチメントの透明板部を前後に重ね合わせて配設される前記冷温表示部材と価格表示部材との間に挿入してなることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に商品見本を展示する際に用いられる商品見本展示用アタッチメント、及びこの商品見本展示用アタッチメントを適用した自動販売機の商品見本展示装置に関するものである。
【背景技術】
【０００２】
この種の従来の自動販売機の商品見本展示装置について図１４を用いて説明する。図１４は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温情報を表示する冷温表示板および商品の価格情報を表示する価格表示板が装着される。なお、前記冷温表示板，価格表示板に替えて液晶ディスプレイ（ＬＣＤ）を備えた商品情報デジタルディスプレイを用いて冷温情報の表示（寒色である青色，暖色である赤色）を行うとともに価格情報の表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した係合穴に嵌合保持されると、ディスプレイ台７０の内部に設けた照明光源からの光がディスプレイ台７０の係合穴と商品見本８０の底部に形成した光導入部とを通して中空状の商品見本の内部に照射され、商品見本が恰も発光しているように展示されることは周知である。前記商品見本８０は立体、具体的には、缶，瓶，ペットボトルなどの容器形状に一致させた中空状の本体を備えた商品見本や、前記中空状の本体を半分に切断した半割り状の商品見本などがディスプレイ台に形成した開口部に嵌合保持するようにされている。前記商品見本８０は、前述したように、缶，瓶，ペットボトルなどの容器形状に一致させた中空状の本体を備えたもの、前記中空状の本体を半分に切断した半割り状のものなどが一般的であるが、ディスプレイ台７０の係合穴に嵌合させることができない、例えば、缶，瓶，ペットボトルなどの容器から中身飲料などを抜いた空容器などを展示する場合には、ディスプレイ台７０の係合穴に着脱自在な商品見本展示用アタッチメントを用いて空容器を展示するように構成されている（例えば、特許文献１）。
【先行技術文献】
【特許文献】
【０００６】
【特許文献１】特開２００８−２４２５０５号公報
【発明の概要】
【発明が解決しようとする課題】
【０００７】
ところで、特許文献１に記載された立体状の商品見本に加え、プラスチックシートに商品の外観意匠を印刷した矩形平板状のシート状商品見本が知られており、このシート状商品見本と立体状の商品見本を同一のディスプレイ台に並べて展示することが望まれている。しかしながら、シート状商品見本は立体状の商品見本のようにディスプレイ台の開口部に直接嵌合させることが困難である。このため、シート状商品見本を保持するとともにディスプレイ台の開口部と係合する係合部を備えた商品見本展示用アタッチメントを設けることが考えられる。ところが、シート状商品見本は剛性の弱い薄いプラスチックシートからなることからシート状商品見本の下端のみを保持した場合にはシート状商品見本は起立姿勢を維持することができずに折れ曲がってしまう。このため、商品見本展示用アタッチメントを細長いシート状商品見本の周縁を保持するような大形のものとせねばならず、コストが嵩むという課題を有する。
【０００８】
そこで、本発明は上記の点に鑑みなされたものであり、その目的は前記課題を解決し、シート状商品見本の一部のみを保持した場合にもシート状商品見本の姿勢を維持してディスプレイ台に展示することが可能な商品見本展示用アタッチメント、及び自動販売機の商品見本展示装置を提供することにある。
【課題を解決するための手段】
【０００９】
上記目的を達成するため請求項１に係る商品見本展示用アタッチメントは、立体状の商品見本を嵌合保持する複数の係合穴を有するディスプレイ台に取付けられる商品見本展示用アタッチメントであって、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することを特徴とする。
【００１０】
また、請求項２に係る商品見本展示用アタッチメントは、請求項１記載の商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることを特徴とする。
【００１１】
また、請求項３に係る商品見本展示用アタッチメントは、請求項２記載の商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端の間の間隔をシート状商品見本の厚みに対して比較的広い広幅としたことを特徴とする。
【００１２】
また、請求項４に係る商品見本展示用アタッチメントは、請求項１乃至請求項３のいずれかに記載の商品見本展示用アタッチメントにおいて、商品見本展示用アタッチメントは透明なプラスチックにより形成されていることを特徴とする。
【００１３】
また、請求項５に係る商品見本展示用アタッチメントは、請求項１乃至請求項４のいずれかに記載の商品見本展示用アタッチメントにおいて、左右に隣接する保持部の間に表示具を固着する係合部を有することを特徴とする。
【００１４】
さらに、請求項６に係る商品見本展示用アタッチメントは、請求項５に記載の商品見本展示用アタッチメントにおいて、係合部は表示具を挟持する挟持溝からなることを特徴とする。
【００１５】
また、請求項７に係る商品見本展示用アタッチメントは、請求項５に記載の商品見本展示用アタッチメントにおいて、係合部は表示具のポールを挿入係止する係止穴からなることを特徴とする。
【００１６】
また、請求項８に係る商品見本展示用アタッチメントは、請求項５に記載の商品見本展示用アタッチメントにおいて、表示具は広告表示板、或いは冷温強調板であることを特徴とする。
【００１７】
また、請求項９に係る商品見本展示用アタッチメントは、請求項８に記載の商品見本展示用アタッチメントにおいて、表示具は係合部に個別に固着される単一表示具、若しくは複数の係合部に跨る連接表示具からなることを特徴とする。
【００１８】
また、請求項１０に係る自動販売機の商品見本展示装置は、本体キャビネットの前面を開閉する外扉に形成されたディスプレイ室内に配設され、立体状の商品見本を嵌合保持する複数の係合穴を有するディスプレイ台と、前記ディスプレイ台上に展示された複数の商品見本に対応して商品のコールド，ホット状態を表す冷温情報および商品の価格情報を表示する商品情報表示部品とを備え、前記商品情報表示部品をディスプレイ台の前面に設置してなる自動販売機の商品見本展示装置において、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを設け、当該商品見本展示用アタッチメントの透明板部を前記商品情報表示部品に装着して商品見本展示用アタッチメントをディスプレイ台に取り付けたことを特徴とする。
【００１９】
さらに、請求項１１に係る自動販売機の商品見本展示装置は、請求項１０に記載の自動販売機の商品見本展示装置において、商品情報表示部品は、商品の冷温情報および価格情報を表示する液晶表示部を有し、当該液晶表示部を保護する横長帯状の透明なカバー部材を装備してなる商品情報デジタルディスプレイであり、当該カバー部材に代えて商品見本展示用アタッチメントの透明板部を前記商品情報デジタルディスプレイの前面に装着してなることを特徴とする。
【００２０】
そしてまた、請求項１２に係る自動販売機の商品見本展示装置は、請求項１０に記載の自動販売機の商品見本展示装置において、商品情報表示部品は、商品のコールド，ホット状態を表す冷温情報を表示する冷温表示部材、および商品の価格情報を表示する価格表示部材からなり、前記商品見本展示用アタッチメントの透明板部を前後に重ね合わせて配設される前記冷温表示部材と価格表示部材との間に挿入してなることを特徴とする。
【発明の効果】
【００２１】
本発明の請求項１に係る商品見本展示用アタッチメントによれば、立体状の商品見本を嵌合保持する複数の係合穴を有するディスプレイ台に取付けられる商品見本展示用アタッチメントであって、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することにより、前記保持溝に下端を装着されたシート状商品見本は保持溝の湾曲に倣って湾曲するので、シート状商品見本が可撓性の薄いプラスチックシートからなる場合にもその剛性を高めることができ、シート状商品見本を安定した起立姿勢で展示することができる。
【００２２】
また、請求項２に係る商品見本展示用アタッチメントによれば、請求項１に係る商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることにより、商品見本展示用アタッチメントを透明なプラスチック成形品とした場合にも薄いプラスチックシートからなるシート状商品見本を保持可能な一条の微小間隙を形成することが可能となる。
【００２３】
また、請求項３に係る商品見本展示用アタッチメントによれば、請求項２に係る商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端に間の間隔をシート状商品見本の厚みに対して比較的広い広幅としたことにより、シート状商品見本を保持する狭幅部分が３箇所に分散されているので、一条の保持溝が連続した微小間隙で形成されている場合に比較してシート状商品見本の挿入を容易に行うことができる。
【００２４】
また、請求項４に係る商品見本展示用アタッチメントによれば、請求項１乃至請求項３のいずれかに記載の商品見本展示用アタッチメントにおいて、商品見本展示用アタッチメントは透明なプラスチックにより形成されていることにより、保持部における保持溝に装着されたシート状商品見本の意匠が隠れてしまうことを防止することができる。
【００２５】
また、請求項５に係る商品見本展示用アタッチメントによれば、請求項１乃至請求項４のいずれかに記載の商品見本展示用アタッチメントにおいて、左右に隣接する保持部の間に表示具を固着する係合部を有することにより、商品見本展示用アタッチメントを、表示具、例えば、「新発売」などの広告、若しくはキャラクターなどを表示した宣伝広告用の表示具の取付けに兼用することができ、安価に販売促進を図ることが可能となる。
【００２６】
この場合、請求項６に係る商品見本展示用アタッチメントによれば、請求項５に記載の商品見本展示用アタッチメントにおいて、係合部は表示具を挟持する挟持溝からなることにより、表示具は挟持溝に差し込むことにより固着され、また、請求項７に係る商品見本展示用アタッチメントによれば、請求項５に記載の商品見本展示用アタッチメントにおいて、係合部は表示具のポールが挿入される係止穴からなることにより、表示具はポールを係止穴に挿入することにより固着されるので、表示具をワンタッチで商品見本展示用アタッチメントに取付けることができる。
【００２７】
また、請求項８に係る商品見本展示用アタッチメントによれば、請求項５に記載の商品見本展示用アタッチメントにおいて、表示具は広告表示板、或いは冷温強調板であることにより、例えば、「新発売」などの広告、若しくはキャラクターなどを表示した広告表示板の場合には商品見本に近接して広告宣伝表示を行うことができるので安価に販売促進を図ることが可能となり、また、冷温強調板の場合には、ディスプレイ台の前面に表示された冷温情報に加えて商品の冷温状態を強調でき、特に、ディスプレイ台の前面に取付けられた冷温情報を表示する商品情報表示部材が、例えば、液晶ディスプレイ（ＬＣＤ）を備えた商品情報デジタルディスプレイである場合、若しくは商品情報表示部材が冷温表示板である場合、節電のために商品情報デジタルディスプレイの電源が遮断、若しくは冷温表示板を照明する蛍光灯などの照明光源が消灯された際にも、前記冷温情報を視認し難い場合にも商品の冷温状態を一目で分かるように表示することができるので販売機会の増大を図ることが可能となる。
【００２８】
また、請求項９に係る商品見本展示用アタッチメントによれば、請求項８に記載の商品見本展示用アタッチメントにおいて、表示具は係合部に個別に固着される単一表示具、若しくは複数の係合部に跨る連接表示具からなることにより、単一表示具、および連接表示具を択一して装着することができるので、表示具が広告表示板の場合には、ディスプレイ台上に「新発売」の商品を分散して載置することや所定箇所に集合させて載置することができる、つまり、ディスプレイ台に載置する商品見本のレイアウトの自由度を得ることができ。
【００２９】
また、請求項１０に係る自動販売機の商品見本展示装置によれば、本体キャビネットの前面を開閉する外扉に形成されたディスプレイ室内に配設され、立体状の商品見本を嵌合保持する複数の係合穴を有するディスプレイ台と、前記ディスプレイ台上に展示された複数の商品見本に対応して商品のコールド，ホット状態を表す冷温情報および商品の価格情報を表示する商品情報表示部品とを備え、前記商品情報表示部品をディスプレイ台の前面に設置してなる自動販売機の商品見本展示装置において、前記ディスプレイ台の前面に配設されて当該ディスプレイ台に係止固着される横長帯状の透明板部、及び当該透明板部の上部に連なる態様で前記立体状の商品見本を嵌合保持する複数の係合穴に対応して複数形成され、平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを設け、当該商品見本展示用アタッチメントの透明板部を前記商品情報表示部品に装着して商品見本展示用アタッチメントをディスプレイ台に取り付けたことにより、シート状商品見本を展示する商品見本展示用アタッチメントを立体状の商品見本を展示するディスプレイ台に追加装備することができるので、立体状の商品見本とシート状商品見本を一つのディスプレイ台に混合して展示することができ、また、前記商品見本展示用アタッチメントの保持部に形成された湾曲した保持溝に下端を保持されたシート状商品見本が保持溝の湾曲に倣って湾曲するので、その剛性を高めることができ、シート状商品見本を起立姿勢に維持することができる。
この場合、請求項１１に係る自動販売機の商品見本展示装置によれば、請求項１０に記載の自動販売機の商品見本展示装置において、商品情報表示部品は、商品の冷温情報および価格情報を表示する液晶表示部を有し、当該液晶表示部を保護する横長帯状の透明なカバー部材を装備してなる商品情報デジタルディスプレイであり、当該カバー部材に代えて商品見本展示用アタッチメントの透明板部を前記商品情報デジタルディスプレイの前面に装着してなることにより、商品見本展示用アタッチメントの透明板部を液晶表示部を保護する横長帯状の透明なカバー部材として兼用することが可能となる。
【００３０】
そしてまた、請求項１２に係る自動販売機の商品見本展示装置によれば、請求項１１に記載の自動販売機の商品見本展示装置において、前記ディスプレイ台の前面に配設された商品情報表示部材は、商品のコールド，ホット状態を表す冷温情報を表示する冷温表示部材、及び冷価格情報を表示する価格表示部材からなり、前記商品見本展示用アタッチメントの透明板部を前後に重ね合わせて配設される前記冷温表示部材と価格表示部材との間に挿入してなることにより、ディスプレイ台の前面に配設された冷温表示部材に重ねて当該ディスプレイ台上に展示された複数の商品見本に対応する価格情報を表示する価格表示部材を備えた既設の自動販売機にも商品見本展示用アタッチメントを簡単に追加装備することができる。
【図面の簡単な説明】
【００３１】
【図１】本発明の実施の形態１に係る自動販売機の商品見本展示装置を示し、（ａ）はディスプレイ台の要部斜視図、（ｂ）は商品見本展示用アタッチメントを装着したディスプレイ台の要部斜視図である。
【図２】図１に示したディスプレイ台を示し、（ａ）はディスプレイ台の分解斜視図、（ｂ）は（ａ）の右端側の拡大斜視図である。
【図３】ディスプレイ台から商品見本展示用アタッチメントを取外して示す分解斜視図である。
【図４】本発明の商品見本展示用アタッチメントに係る変形例を示す要部平面図である。
【図５】本発明の商品見本展示用アタッチメントに係る異なる変形例を示し、（ａ）は商品見本展示用アタッチメントの要部斜視図、（ｂ）はディスプレイ台に取付けた商品見本展示用アタッチメントに単一表示具を装着した状態の斜視図、（ｃ）はディスプレイ台に取付けた商品見本展示用アタッチメントに連接表示具を装着した状態の斜視図である。
【図６】本発明の商品見本展示用アタッチメントに係る異なる変形例を示し、（ａ）は商品見本展示用アタッチメントの要部斜視図、（ｂ）はディスプレイ台に取付けた商品見本展示用アタッチメントに単一表示具を装着した状態の斜視図、（ｃ）はディスプレイ台に取付けた商品見本展示用アタッチメントに連接表示具を装着した状態の斜視図である。
【図７】本発明の実施の形態２に係る自動販売機の商品見本展示装置を示すディスプレイ台の要部斜視図である。
【図８】図７に示したディスプレイ台の分解斜視図である。
【図９】図７に示したディスプレイ台の正面視右端側の拡大斜視図である。
【図１０】図７に示したディスプレイ台のブラケット（固定部材）を示し、（ａ）はその前方斜め上方から見た斜視図、（ｂ）はその側面図である。
【図１１】図７に示したディスプレイ台の側面図である。
【図１２】図７に示したディスプレイ台から商品見本展示用アタッチメントを取外して示す分解斜視図である。
【図１３】図７に示したディスプレイ台が配設されたディスプレイ室の側面図である。
【図１４】本発明が対象とする自動販売機の一例を示す斜視図である。
【発明を実施するための形態】
【００３２】
以下、本発明の実施の形態に係る自動販売機の商品見本展示装置について添付図面を参照して説明する。なお、本発明の実施の形態に係る自動販売機の商品見本展示装置が従来装置と相違する点は特にディスプレイ台の周辺であり、ここでは従来装置と相違するディスプレイ台の周辺について説明することとし、また、自動販売機の全体構成は図１４に示したものと同一であるので適宜図１４を参照しつつ説明を行う。
【００３３】
（実施の形態１）
図１において、１はディスプレイ台であり、このディスプレイ台１は鋼板製の固定部材２と商品載置台３とからなる。前記固定部材２は商品載置台３を支持する腕木としてのブラケット２１（図２参照）を有し、当該ブラケット２１が中扉６０（図１４参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温情報および価格情報の価格表示を行う液晶表示部４１を備えている。この商品情報デジタルディスプレイ４が請求項１０の商品情報表示部品を構成する。５は左右方向に延在する鋼板製の取付金具であり、前記固定部材２にねじ止めされて商品情報デジタルディスプレイ４の下端を保持するものである。なお、商品情報デジタルディスプレイ４は液晶表示部４１に価格情報の価格表示を行うものとし、冷温表示については周知の冷温表示板を用いることもできるものである。
【００３４】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラッケット２１は左右対称であるので、ここでは正面視右側のブラケット２１を代表として説明する。前記ブラッケット２１には上面に向けて開放した挿脱溝部２１ａが形成されるとともに前縁に商品情報デジタルディスプレイ４を係止する係止部２１ｂ、およびねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図１４参照）に設けた係止穴に嵌合させることにより固定部材２が中扉６０に係止固定される。
【００３５】
前記商品載置台３は、図２に示すように、上面壁３１の両端から下方に延在された左右側壁３２を備えてなり、上面壁３１には商品見本８０を嵌合保持する係合穴３１１が左右方向に複数（この例では１２個）並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には内側に向けて切起した当接片３４が形成されている。
【００３６】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部は後方斜め下方に向けて傾斜した係合片４３２が形成されている。この係合片４３２は固定部材２の天板２２に形成された係止片２２２に係合するものである。なお、図２の（ｂ）に示すように、化粧枠４３の前面から側方寄りには切り起こしにより係止爪４３３が形成されている。図示は省略したが、化粧枠４３の左端側にも前記係止爪４３３と向う合うように係止爪が切り起こしにより形成されているものである。これらの係止爪４３３により化粧枠４３の前面に配備された横長帯状の透明なカバー部材４４が保持されているものである。前記透明なカバー部材４４は、デジタル表示ユニット４２の液晶表示部４１を保護するものである。
【００３７】
前記取付金具５は縦断面が略Ｌ字形に形成された鋼板製になり、白色塗装が施されている。また、前記取付金具５の前面側の板面（Ｌ字形における長辺側の板面）には階段状の段差部５１（図２の（ｂ）参照）が形成されているとともにねじＳが挿通するねじ挿通穴５２が穿孔されている。
【００３８】
次に、ディスプレイ台１の組立てについて説明すると、まず、左右一対の固定部材２を中扉６０（図１４参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切起した当接片３４が固定部材２の挿脱溝部２１ａに嵌合しているので、商品載置台３の前後方向への移動が規制される。
【００３９】
次いで、前記商品情報デジタルディスプレイ４を中扉６０（図１４参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の外扉６０（図１４参照）への固着位置を適宜定めることにより、商品情報デジタルディスプレイ４の左右端部は、当該左右ブラケット２１よりも外側に突出しているものである。
【００４０】
前述したように固定部材２に商品載置台３をセットするとともに固定部材２に商品情報デジタルディスプレイ４を取付けたディスプレイ台１には、図１に示すように、商品載置台３に載置された立体状の商品見本８０とシート状商品見本８１が起立姿勢で展示している。シート状商品見本８１は可撓性の薄いプラスチックシートに商品の外観意匠を印刷した矩形平板状の透明若しくは半透明のシートからなるものである。このシート状商品見本８１は本発明に係る商品見本展示用アタッチメント６を介してディスプレイ台１に取り付けられるが、これについては後述する。そして、ディスプレイ台１の前面に位置する商品情報デジタルディスプレイ４における各液晶表示部４１にそれぞれの商品見本８０，８１のコールド，ホット状態を表す冷温状態および価格情報が表示される。なお、商品情報デジタルディスプレイ４の下端を保持する取付金具５は、図１４に示したディスプレイ室５０の前面の透明板４０に設けられた商品選択ボタンユニット９０の背後に位置しており、自動販売機の正面からは商品選択ボタンユニット９０に隠れて見えないようになっている。
【００４１】
さて、シート状商品見本８１を起立姿勢でディスプレイ台１に展示するための商品見本展示用アタッチメント６について図３を用いて説明する。前記商品見本展示用アタッチメント６は、商品情報デジタルディスプレイ４の前面に配備された横長帯状の透明なカバー部材４４に相当する大きさを有する透明板部６１および当該透明板部６１の上部に連ねて形成された保持部６２からなるプラスチック成形品である。前記透明板部６１は、商品情報デジタルディスプレイ４の化粧枠４３に形成された左右の係止爪４３３の間の間隔に相当する横幅を有する横長帯状に形成されている。前記透明板部６１の上部に連ねて形成された保持部６２、この例では、商品載置台３の上面壁３１に形成された商品見本８０を嵌合保持する１２個の係合穴３１１（図２参照）に対応して１２個（図３では６個のみが示されている）の保持部６２はそれぞれ前方側に凸の湾曲状に形成されており、その湾曲に沿ってそれぞれ一条の保持溝６２１（図１の（ｂ）を参照）が形成されている。前記保持溝６２１は薄いシート状商品見本８１が挿入され、当該シート状商品見本８１を保持するものである。この薄いシート状商品見本８１を保持するために保持溝６２１の溝幅は微小間隙として形成せねばならない。このため、前記保持溝６２１の内壁は互い違いに噛み合う鋸歯状に形成され、両者の鋸歯の先端の間に微小間隙が生じるように構成されている。
【００４２】
次に、前記商品見本展示用アタッチメント６のディスプレイ台１への取付けについて説明する。前記商品見本展示用アタッチメント６は、商品情報デジタルディスプレイ４の前面に配備された横長帯状の透明なカバー部材４４を取外したうえで、透明板部６１を化粧枠４３の前面に配備した後、化粧枠４３に形成された係止爪４３３により係止固定する。このように、ディスプレイ台１に装着された商品見本展示用アタッチメント６の保持部６２における保持溝６２１にはシート状商品見本８１が挿入される。この場合、シート状商品見本８１は下端の一部のみが保持溝６２１に挿入された状態で保持部６２に保持されることとなるが、保持溝６２１が湾曲していることからシート状商品見本８１も保持溝６２１の湾曲に倣って横断面が前方側に凸となるように湾曲した状態で起立する。このように、シート状商品見本８１を湾曲させて保持することにより薄いプラスチックシートからなるシート状商品見本８１を安定した起立姿勢に維持することができる。そして、商品見本展示用アタッチメント６の複数の保持部６２および商品載置台３の複数の係合穴３１１にシート状商品見本８１および立体状の商品見本８０を適宜取付けることにより、シート状商品見本８１および立体状の商品見本８０を同一のディスプレイ台１に並べて展示することができるものである。
【００４３】
ここで、前記シート状商品見本８１には切欠８１１（図１の（ａ）参照）が設けられている。この切欠８１１について次に説明する。前述したような矩形平板状のシート状商品見本８１の下端を湾曲させた際、シート状商品見本８１の全体が湾曲してしまうことがある。そこで、シート状商品見本８１には左右側縁の下部側に切欠８１１を設けている。このように、切欠８１１を有するシート状商品見本８１の下端を湾曲させる、つまり、前記商品見本展示用アタッチメント６の保持溝６２１に挿入した場合、シート状商品見本８１の切欠８１１よりも下部側は保持溝６２１の湾曲に倣って湾曲（曲率の小さい湾曲）するが、前記切欠８１１によって下部側との繋がりが一部絶たれた切欠８１１よりも上部側の湾曲は下部側の湾曲に対して比較的小さくなる（曲率の大きな湾曲となる）。このように、切欠８１１を形成することによりシート状商品見本８１の湾曲を抑えることができる一方、切欠８１１よりも下部側は保持溝６２１の湾曲に倣って湾曲することから薄いプラスチックシートからなるシート状商品見本８１を安定して起立姿勢に維持することができる。なお、切欠８１１は角型に限らず円弧形状とすることもでき、さらに、切欠８１１に代えて切り込みを入れることもできるものである。
【００４４】
前述したように本発明の実施の形態１に係る商品見本展示用アタッチメント６によれば、立体状の商品見本８０を嵌合保持する複数の係合穴３１１を有するディスプレイ台１に取付けられる商品見本展示用アタッチメント６であって、前記ディスプレイ台１の前面に配設されて当該ディスプレイ台１に係止固着される横長帯状の透明板部６１、及び当該透明板部６１の上部に連なる態様で前記立体状の商品見本８０を嵌合保持する複数の係合穴３１１に対応して複数形成され、平板状に復元可能な可撓性を有するシート状商品見本８１の下端を保持する一条の保持溝６２１を有し、かつ、前記一条の保持溝６２１を前方側に凸となるように湾曲状に形成した複数の保持部６２とからなり、前記保持溝６２１に挿入されたシート状商品見本８１の下端をその湾曲に倣って前方側に凸となるように湾曲させた状態で保持することによりシート状商品見本８１を起立姿勢に維持して展示することにより、前記保持溝６２１に下端を装着されたシート状商品見８１本は保持溝６２１の湾曲に倣って湾曲するので、シート状商品見本８１が可撓性の薄いプラスチックシートからなる場合にもその剛性を高めることができ、シート状商品見本８１を安定した起立姿勢で展示することができる。
【００４５】
また、前述した本発明の実施の形態１に係る自動販売機の商品見本展示装置によれば、本体キャビネット１０の前面を開閉する外扉２０に形成されたディスプレイ室５０内に配設され、立体状の商品見本８０を嵌合保持する複数の係合穴３１１を有するディスプレイ台１と、前記ディスプレイ台１上に展示された複数の商品見本８０に対応して商品のコールド，ホット状態を表す冷温情報および商品の価格情報を表示する商品情報表示部品（商品情報デジタルディスプレイ４）とを備え、前記商品情報表示部品（商品情報デジタルディスプレイ４）をディスプレイ台１の前面に設置してなる自動販売機の商品見本展示装置において、前記ディスプレイ台１の前面に配設されて当該ディスプレイ台１に係止固着される横長帯状の透明板部６１、及び当該透明板部６１の上部に連なる態様で前記立体状の商品見本８０を嵌合保持する複数の係合穴３１１に対応して複数形成され、平板状に復元可能な可撓性を有するシート状商品見本８１の下端を保持する一条の保持溝６２１を有し、かつ、前記一条の保持溝６２１を前方側に凸となるように湾曲状に形成した複数の保持部６２とからなり、前記保持溝６２１に挿入されたシート状商品見本８１の下端をその湾曲に倣って前方側に凸となるように湾曲させた状態で保持することによりシート状商品見本８１を起立姿勢に維持して展示する商品見本展示用アタッチメント６を設け、当該商品見本展示用アタッチメント６の透明板部６１を前記商品情報表示部品（商品情報デジタルディスプレイ４）に装着して商品見本展示用アタッチメント６をディスプレイ台１に取り付けたことにより、シート状商品見本８１を展示する商品見本展示用アタッチメント６を立体状の商品見本８０を展示するディスプレイ台１に追加装備することができるので、立体状の商品見本８０とシート状商品見本８１を一つのディスプレイ台１に混合して展示することができ、また、前記商品見本展示用アタッチメント６の保持部６２に形成された湾曲した保持溝６２１に下端を保持されたシート状商品見本８１が保持溝６２１の湾曲に倣って湾曲するので、その剛性を高めることができ、シート状商品見本８１を起立姿勢に維持することができる。
【００４６】
さらに、前記商品情報表示部品として商品情報デジタルディスプレイ４を用いた場合、商品情報デジタルディスプレイ４における液晶表示部４１を保護する横長帯状の透明なカバー部材４４に代えて商品見本展示用アタッチメント６の透明板部６１を装着すれば、商品見本展示用アタッチメント６の透明板部６１が液晶表示部４１を保護する横長帯状の透明なカバー部材４４を兼用することが可能となる。
【００４７】
次に、図４は、前記商品見本展示用アタッチメント６の変形例を示す。図４に示す商品見本展示用アタッチメント６Ａが前記実施の形態１における商品見本展示用アタッチメント６と相違する点は保持溝６２１Ａの溝構成であり、その他の構成については同一であるので、図４では商品見本展示用アタッチメント６Ａの要部平面を表している。図において、６１Ａは横長帯状の透明板部であり、６２Ａは前記透明板部６１Ａの上部に連なる保持部であり、これらの透明板部６１Ａと保持部６２Ａからなる商品見本展示用アタッチメント６Ａは透明なプラスチック成形品として形成されている。前記保持部６２Ａに形成された一条の保持溝６２１Ａは、前記実施の形態１の保持溝６２１と同様にその内壁に互い違いに噛み合うように鋸歯状に形成されている。この保持溝６２１Ａが前記実施の形態１の保持溝６２１と相違する点は次のとおりである。すなわち、前記保持溝６２１Ａは、その内壁に互い違いに噛み合うように形成された鋸歯のうち、少なくとも保持溝６２１Ａの左右端部６２２，６２２と中央部６２３における対向する鋸歯の先端の間の間隔Ｌ１をシート状商品見本８１の厚みと略一致する狭幅とし、他の領域における対向する鋸歯の先端の間の間隔Ｌ２をシート状商品見本の厚みに対して比較的広い広幅として構成されている。
【００４８】
ここで、前記実施の形態１における商品見本展示用アタッチメント６の保持部６２における保持溝６２１は、全域に亘って一様の微小間隙が生じるように構成、つまり、一条の保持溝６２１の隙間寸法が全域に亘って一定の微小間隙が生じるように構成されているが、この場合にはシート状商品見本８１の挿入に手間がかかるものである。すなわち、保持溝６２１の隙間寸法はシート状商品見本８１を保持するためにシート状商品見本８１の厚さと略同一の微小間隙として形成されているとともに、一条の保持溝６２１が湾曲していることから、シート状商品見本８１を保持溝６２１に沿って湾曲させつつ挿入せねばならない。このため、シート状商品見本８１を保持溝６２１の挿入に手間がかかり、煩わしい作業となる。かかる点、図４に示す商品見本展示用アタッチメント６Ａの保持溝６２１Ａは、シート状商品見本８１の厚みと略一致する間隔Ｌ１の狭幅の溝が分散して形成される一方、狭幅の溝を除く他の溝がシート状商品見本８１の厚みに対して比較的広い間隔Ｌ２の広幅の溝として形成されていることから、分散された狭幅の溝にシート状商品見本８１を挿入すればよい。したがって、シート状商品見本８１の保持溝６２１Ａへの挿入が頗る容易となるので、シート状商品見本８１の保持溝６２１Ａへの挿入作業を簡単にすることができる。しかも、分散された狭幅の溝によってシート状商品見本８１を保持するので、シート状商品見本８１を湾曲した状態に維持することができ、薄いプラスチックシートからなるシート状商品見本８１を安定した起立姿勢で展示することができる。
【００４９】
次に、図５は、前記実施の形態１に係る商品見本展示用アタッチメント６の異なる変形例を示す。図５に示す商品見本展示用アタッチメント６Ｂが前記実施の形態１における商品見本展示用アタッチメント６と相違する点は、左右に隣接する保持部６２Ｂの間に表示具８００を固着する挟持溝６３（図５の（ａ）参照）を設けた点であり、その他の構成については同一である。すなわち、図において、６Ｂは商品見本展示用アタッチメントであり、横長帯状の透明板部６１Ｂと、この取付基台６１Ｂの上部に連ねて形成された保持部６２Ｂとからなり、透明なプラスチック成形品として形成されている。前記保持部６２Ｂに形成された一条の保持溝６２１Ｂは、前記実施の形態１の保持溝６２１と同様にその内壁に互い違いに噛み合うように鋸歯状に形成されている。そして、左右に隣接する保持部６２Ｂの間に広告宣伝用の表示具８００を固着する挟持溝６３が形成されている。この挟持溝６３が請求項５の係合部を構成する。なお、表示具８００は、図５の（ａ）（ｂ）では広告宣伝用の広告表示板８０１を示し、図５の（ｃ）ではディスプレイ台１に載置された商品見本８０のコールド，ホット状態を表す冷温情報を強調する冷温強調板８０２を示している。
【００５０】
前述したように、前記挟持溝６３は、商品見本展示用アタッチメント６Ｂの左右に隣接する保持部６２Ｂの間に形成されている。左右に隣接する保持部６２Ｂの間は、平面から見て前方に凸に湾曲した保持部６２Ｂの谷間に相当する部位である。前記挟持溝６３は、前記谷間の肉厚を厚くした部位に形成したところの、左右及び上方に開放した細幅の溝からなる。前記挟持溝６３の溝幅は、プラスチックシートからなる表示具８００の厚さと略同一の幅に定められている。
【００５１】
前記表示具８００としての広告表示板８０１は、図５の（ａ）に示すように、可撓性の矩形平板状のプラスチックシートに、「新発売」などの広告文字、若しくはキャラクターなどの形象を印刷した単一表示具として形成されている。前記広告表示板８０１は、下縁中央から下方に延在する係止舌片８０１１を備え、当該係止舌片８０１１を挟持溝６３に挿入することにより商品見本展示用アタッチメント６Ｂに固着される（図５の（ｂ）参照）。図示の例では、商品見本展示用アタッチメント６Ｂにシート状の商品見本８１（図１参照）が装着されていない状態で、広告表示板８０１が保持部６２Ｂの上方に位置している場合を示しているが、シート状の商品見本８１が装着される場合には、係止舌片８０１１に階段状の段差を設けて広告表示板８０１が保持部６２の前方に位置するようにすればよい。また、係止舌片８０１１は広告表示板８０１の下端中央に設けているが、広告表示板８０１の幅を隣接する挟持溝６３に跨る大きさとし、広告表示板８０１の左右下端にそれぞれ係止舌片を設けて挟持溝６３に挿入するようにすることもできる。ここで、広告表示板８０１の幅が隣接する挟持溝６３に跨る大きさで薄いプラスチックシートからなる場合には、広告表示板８０１を保持部６２Ｂの外面に沿わせたうえで、その左右両端下部を左右の挟持溝６３に挿入して商品見本展示用アタッチメント６Ｂに固着することもできる。この場合、広告表示板８０１は、湾曲した保持部６２Ｂの外面に沿って湾曲することから、広告表示板８０１が薄いプラスチックシートからなる場合にも当該広告表示板８０１の剛性を高めて安定した起立姿勢に保持することができる。
【００５２】
また、図５の（ｃ）に示すように、前記表示具８００としての冷温強調板８０２は、ディスプレイ台１に載置された複数の商品見本８０、図示例では６個の保持部６２（商品見本８０）に跨る横長帯状のプラスチックシートの一面に、商品のホット状態を表すパターンとして暖色（赤色）の背景色に白抜きの「ＨＯＴ」の文字が施され、他方の面に商品のコールド状態を表すパターンとして寒色（青色）の背景色に白抜きの「ＣＯＬＤ」の文字が施された連接表示具として形成されている。この冷温強調板８０２の下縁には、隣接する保持部６２Ｂの間に形成されたそれぞれの挟持溝６３に対応して下方に延在する係止舌片８０２１が設けられ、当該係止舌片８０２１を挟持溝６３に挿入することにより商品見本展示用アタッチメント６Ｂに固着される。前記冷温強調板８０２は、ディスプレイ台１の前面に取付けられた商品情報デジタルディスプレイ４に表示された商品の冷温情報（図示例では「ＨＯＴ」）と同一の「ＨＯＴ」の冷温情報を表示し、季節の変わり目などに実行される庫内の冷却／加熱ユニットの冷温切換え（「ＨＯＴ」から「ＣＯＬＤ」）に応じて冷温強調板８０２を、垂直軸を中心に１８０度反転させることにより「ＣＯＬＤ」の冷温情報を表示する。この冷温強調板８０２は、商品情報デジタルディスプレイ４に表示された冷温情報を強調して表示する一方、商用電源が遮断（停電）された場合、若しくは節電のために商品情報デジタルディスプレイ４の電源が遮断された場合にも冷温強調板８０２により商品の冷温状態を表示することができるものである。
【００５３】
なお、図５の（ｂ）では、表示具８００としての広告表示板８０１が単一表示具からなるものについて例示したが、図５の（ｃ）に例示した冷温強調板８０２のように連接表示具であってもよく、また、同様に、図５の（ｃ）では、冷温強調板８０２が連接表示具からなるものについて例示したが、図５の（ｂ）に例示した広告表示板８０１のように単一表示具であってもよいものである。
【００５４】
このように、左右に隣接する保持部６２Ｂの間に表示具８００を固着する挟持溝６３（係合部）を有することにより、商品見本展示用アタッチメント６Ｂを、表示具８００の取付けに兼用することができる。
【００５５】
次に、図６は、前記実施の形態１に係る商品見本展示用アタッチメント６の更に異なる変形例を示す。図６に示す商品見本展示用アタッチメント６Ｃが前記実施の形態１における商品見本展示用アタッチメント６と相違する点は、左右に隣接する保持部６２Ｂの間に旗竿状の表示具８００のポールが挿入される係止穴６４（図６の（ａ）参照）を設けた点であり、その他の構成については同一である。すなわち、図において、６Ｃは商品見本展示用アタッチメントであり、横長帯状の透明板部６１Ｃと、この透明板部６１Ｃの上部に連ねて形成された保持部６２Ｃとからなり、透明なプラスチック成形品として形成されている。前記保持部６２Ｃに形成された一条の保持溝６２１Ｃは、前記実施の形態１の保持溝６２１と同様にその内壁に互い違いに噛み合うように鋸歯状に形成されている。そして、左右に隣接する保持部６２Ｃの間に表示具８００のポールを固着する係止穴６４が形成されている。この係止穴６４が請求項５の係合部を構成する。なお、表示具８００は、図６の（ａ）（ｂ）では広告宣伝用の広告表示板８０３を示し、図６の（ｃ）ではディスプレイ台１に載置された商品見本８０のコールド，ホット状態を表す冷温情報を強調する冷温強調板８０４を示している。
【００５６】
前述したように、前記係止穴６４は、商品見本展示用アタッチメント６Ｃの左右に隣接する保持部６２Ｃの間に形成されている。左右に隣接する保持部６２Ｃの間は、平面から見て前方に凸に湾曲した保持部６２Ｃの谷間に相当する部位である。前記係止穴６４は、前記谷間の肉厚を厚くした部位に形成したところの、上下方向に穿たれた有底の円筒状の穴からなる。
【００５７】
前記表示具８００としての広告表示板８０３は、図６の（ａ）に示すように、旗状のプラスチックシートに、「新発売」などの広告文字、若しくはキャラクターなどの形象を印刷した表示部８０３１と、この表示部８０３１の一方の端部から下方に延在するポール８０３２からなる単一表示具として形成されている。前記広告表示板８０３は、ポール８０３２を係止穴６４に挿入することにより商品見本展示用アタッチメント６Ｃに固着される（図６の（ｂ）参照）。この場合、係止穴６４の径をポール８０３２の径に略一致させることにより表示部８０３１の向きを一定に維持することができる。また、ポール８０３２は表示部８０３１の一方の端部に設けているが、表示部８０３１の幅を隣接する係止穴６４に跨る大きさとし、表示部８０３１における左右両端端部にそれぞれポールを設けて係止穴６４に挿入するようにすることもできる。さらに、図示の例では、商品見本展示用アタッチメント６Ｃにシート状の商品見本８１（図１参照）が装着されていない状態で、表示部８０３１が保持部６２Ｃの上方に位置している場合を示しているが、シート状の商品見本８１が装着される場合には、ポール８０３２をクランク状に折り曲げて表示部８０３１が保持部６２Ｃの前方に位置するようにすればよい。
【００５８】
また、図６の（ｃ）に示すように、前記表示具８００としての冷温強調板８０４は、ディスプレイ台１に載置された複数の商品見本８０、図示例では６個の商品見本８０に跨る横長帯状のプラスチックシートの一面に、商品のホット状態を表すパターンとして暖色（赤色）の背景色に白抜きの「ＨＯＴ」の文字が施され、他方の面に商品のコールド状態を表すパターンとして寒色（青色）の背景色に白抜きの「ＣＯＬＤ」の文字が施された表示部８０４１と、この表示部８０４１の下縁に、隣接する保持部６２Ｂの間に形成されたそれぞれの係止穴６４に対応して設けられた下方に延在するポール８０４２とからなる連接表示具として形成されている。この冷温強調板８０４は、前記ポール８０４２を係止穴６４に挿入することにより商品見本展示用アタッチメント６Ｃに固着される。前記冷温強調板８０４は、ディスプレイ台１の前面に取付けられた商品情報デジタルディスプレイ４に表示された商品の冷温情報（図示例では「ＨＯＴ」）と同一の「ＨＯＴ」の冷温情報を表示し、季節の変わり目などに実行される庫内の冷却／加熱ユニットの冷温切換え（「ＨＯＴ」から「ＣＯＬＤ」）に応じて冷温強調板８０４を、垂直軸を中心に１８０度反転させることにより「ＣＯＬＤ」の冷温情報を表示する。この冷温強調板８０４は、商品情報デジタルディスプレイ４に表示された冷温情報を強調して表示する一方、商用電源が遮断（停電）された場合、若しくは節電のために商品情報デジタルディスプレイ４の電源が遮断された場合にも冷温強調板８０４により商品の冷温状態を表示することができるものである。
【００５９】
なお、図６の（ｂ）では、表示具８００としての広告表示板８０３が単一表示具からなるものについて例示したが、図６（ｃ）に例示した冷温強調板８０４のように連接表示具であってもよく、また、同様に、図６の（ｃ）では、冷温強調板８０４が連接表示具からなるものについて例示したが、図６の（ｂ）に例示した広告表示板８０３のように単一表示具であってもよいものである。
【００６０】
このように、左右に隣接する保持部６２Ｃの間に表示具８００を固着する係止穴６４（係合部）を有することにより、商品見本展示用アタッチメント６Ｃを、表示具８００の取付けに兼用することができる。
【００６１】
（実施の形態２）
次に、本発明の実施の形態２に係る自動販売機の商品見本展示装置について図７〜図１３を参照して説明する。本発明の実施の形態２に係る自動販売機の商品見本展示装置を示すディスプレイ台の要部斜視図である。
【００６２】
図７は、本発明の実施の形態２に係る自動販売機の商品見本展示装置を示すディスプレイ台の要部斜視図である。図において、１Ａはディスプレイ台であり、このディスプレイ台１Ａは薄板鋼板製の商品載置台３Ａと左右一対の固定部材としてのブラケット２Ａとからなる。前記ブラケット２Ａは商品載置台３Ａを支持する腕木として機能し、当該ブラケット２Ａがディスプレイ室５０の中扉６０（図１４参照）に後述するように係止固定される。前記商品載置台３Ａは、商品見本８０が嵌合係止される複数、この実施の形態では１２個の係合穴３１１Ａを備えたステージ状の上面壁３１Ａと、上面壁３１Ａの両端から下方に延在する左右側壁３２Ａ，３２Ａと、上面壁３１Ａの前後端から下方に延在する前面壁３３Ａおよび後面壁（図では見えない）により下面が開放した横長の箱形に形成されている。この商品載置台３Ａは、左右一対のブラケット２Ａに跨る態様で当該左右一対のブラケット２Ａに対して着脱自在に設けられている。前記商品載置台３Ａの前面壁３３Ａには複数の商品見本８０に対応して当該商品見本８０のコールド，ホット状態を表す冷温情報７１が表示された冷温表示部材７２、及び商品価格を表す価格情報７３が表示された価格表示部材７４が着脱自在に係止保持されている。前記冷温表示部材７２、及び価格表示部材７４が商品情報表示部品７を構成し、この例では冷温表示部材７２及び価格表示部材７４が左右に２分割されている。
【００６３】
図８はディスプレイ台１Ａの分解斜視図、図９はディスプレイ台１Ａの正面視右端側の拡大図、図１０はディスプレイ台１Ａのブラケット２Ａを示し、（ａ）はその前方斜め上方から見た斜視図、（ｂ）はその側面図、図１１はディスプレイ台１Ａの側面図、図１２はディスプレイ台１Ａから商品見本展示用アタッチメント６Ｄを取外して示す分解斜視図、図１３はディスプレイ台１Ａが配設されたディスプレイ室５０の側面図であり、これらの図を用いて各部材について更に説明する。前記商品載置台３Ａはステージ状の上面壁３１Ａに複数の係合穴３１１Ａが形成され、左右両端部にはそれぞれ裏面に向けて押し出し形成された突起状の嵌合突起３１２およびストッパ３１３（図９も参照）が設けられている。前記商品載置台３Ａの左右側面壁３２Ａ，３２Ａにはそれぞれ内側に向って突出する支持軸３５が取付けられている。前記支持軸３５は合成樹脂製になり、図８、図９では前記支持軸３５の頭部が示されており、支持軸３５の軸部（不図示）は上面壁３１Ａの嵌合突起３１２の下方まで延在するとともに軸部の上端側の周面の一部を削ぎ取って平坦面とした断面Ｄ状に形成されている（後述図１１参照）。また、前記商品載置台３Ａの前面壁３３Ａには左右方向に複数、この実施の形態では１２個の光透過窓３３１が形成されるとともに前面壁３３Ａの下端を前方側に折り返して形成された係止部３３２を備えている。この係止部３３２は前面壁３３Ａとの間に、図９に示すように商品情報表示部品７を保持する係止溝を形成する。さらに、図８に全体を示し、図９で正面視右端側を拡大して示すように、前記商品載置台３Ａの前面壁３３Ａの左右両端部及び中央部には前記係止部３３２により保持された商品情報表示部品７が左右方向にずれるのを防止する係止突起３３３が形成され、また、図９から明らかなように、商品情報表示部品７の脱落を防止するために係止部３３２から突出する突起片３３２１が設けられている。
【００６４】
前記商品載置台３Ａとともにディスプレイ台１Ａを構成する左右一対のブラケット２Ａは左右対称であるので、ここでは正面視右側のブラケット２Ａを代表として説明する。前記ブラケット２Ａには、図１０にも示すように、前記支持軸３５を嵌合支持する異形溝２６が形成され、また、ブラケット２Ａの上縁には内側を向くようにガイド片２４が形成され、さらに後端面にはディスプレイ室５０の中扉６０（図１３参照）に設けた角穴（不図示）に引っ掛けて当該ブラケット２Ａを定位置に固定する係合爪２５，２５が切り起こし形成されている。前記異形溝２６は、前記支持軸３５を回転可能に支える前半域の円弧状溝部２６１と、前記円弧状溝部２６１に連ねて後半域に形成され、前記支持軸３５の移動を拘束して商品載置台３Ａを展示位置に保持するスライド溝部２６２と、前記円弧状溝部２６１とスライド溝部２６２との中間位置からブラケット２Ａの上縁に切欠き開口した挿脱溝部２６３とを組合わせて形成されている。なお、前記円弧状溝部２６１は支持軸３５の軸部より一回り大きく形成され、また、前記スライド溝部２６２の高さ寸法ｈは支持軸３５の直径よりも小さい寸法の断面Ｄ状の軸部３５ａ（図１１参照）に合わせて形成されている。また、ブラケット２Ａの上縁に内側を向くように形成されたガイド片２４は異形溝２６の挿脱溝部２６３により前後に２分割されている。
【００６５】
前記商品載置台３Ａの係止部３３２に装着して保持係止される商品情報表示部品７は、図８に示すように、複数の商品見本８０に対応して当該商品見本８０のコールド，ホット状態を表す冷温情報７１が表示された冷温表示部材７２、及び商品価格を表す価格情報７３が表示された価格表示部材７４からなる。前記冷温表示部材７２は光透過性のアクリル樹脂により横長帯状に形成されるとともに冷温情報７１の表示領域を上下に区分し、当該上下の表示領域にそれぞれ異なる冷温情報７１を互いに逆さにして表示してなる。この実施の形態では、冷温表示部材７２の上部の表示領域には「ＣＯＬＤ」の文字、下部の表示領域には「ＨＯＴ」の文字が互いに逆さまに表示されている。なお、図には明示されていないが、冷温情報７１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。一方、価格表示部材７４は透明なアクリル樹脂により横長帯状に形成され、上部領域に「\１２０」の価格情報７３が施されて不透明である一方、下部領域が透明に形成されている。これらの冷温表示部材７２および価格表示部材７４は、価格表示部材７４を前方側に位置するようにして前後に重ね合わせて商品載置台３Ａの前面壁３３Ａに沿って配設される。なお、冷温表示部材７２及び価格表示部材７４は商品載置台３Ａの前面壁３３Ａの左右両端部及び中央部に形成した係止突起３３３（図９参照）間に収まる寸法に定められている。
【００６６】
前記ディスプレイ台１Ａの分解斜視図を示す図８において、９は照明光源としての蛍光灯である。この蛍光灯９はソケット９１を有する左右一対の蛍光灯取付金具９２に装着されるものである。前記蛍光灯取付金具９２はブラケット２Ａと同様に中扉６０（図１３参照）に係止固定される。すなわち、蛍光灯取付金具９２の後端面に板面を切り起して形成された不図示の係合爪をディスプレイ室５０の中扉６０に設けた角穴に引っ掛けることによって中扉６０に係止固定される。なお、左右一対の蛍光灯取付金具９２はそれぞれ左右一対のブラケット２Ａの内方に配設され、左右一対のブラケット２Ａに跨るように商品載置台３Ａを取付けた場合、箱形の商品載置台３Ａの内部に位置するように定められている。このように、蛍光灯９は箱形の商品載置台３Ａ（ディスプレイ台１Ａ）の内部に位置しており、蛍光灯９からの光が商品載置台３Ａの上面壁３１Ａに形成した係合穴３１１Ａを介して商品見本８０の内部に照射されるとともに前面壁３３Ａに形成した光透過窓３３１を介して商品情報表示部品７に照射される。
【００６７】
次に、ディスプレイ台１Ａの組立てについて説明すると、まず、左右一対のブラケット２Ａをディスプレイ室の中扉６０（図１３参照）に取付ける。このブラケット２Ａの中扉６０への取付けは、ブラケット２Ａの後端面に切り起しにより形成された係合爪２５，２５を中扉６０の所定位置に設けた角穴に挿入係止させる。これによりブラケット２Ａが中扉６０の所定位置に固定される。次いで、中扉６０に固着された左右一対のブラケット２Ａに対して商品載置台３Ａを、左右一対のブラケット２Ａの上方から被せるように装着する。この場合、商品載置台３Ａの左右側壁３２Ａに内側に向けて突出する支持軸３５をブラケット２Ａの挿脱溝部２６３に対峙させた上で、商品載置台３Ａをブラケット２Ａに被せる。そして、商品載置台３Ａの上面壁３１Ａの内壁がブラケット２Ａの上縁に当接すると、支持軸３５がブラケット２Ａの異形溝２６に嵌合した状態で商品載置台３Ａがブラケット２Ａに一体化される。この後、商品載置台３Ａを後方（中扉６０側）にスライドさせると、支持軸３５が異形溝２６のスライド溝部２６２に移動する。この状態を図１３に示し、支持軸３５の断面Ｄ状の軸部３５ａの上端側の平坦面がスライド溝部２６２の平坦な上縁に対峙する。一方、商品載置台３Ａの上面壁３１Ａの左右両端部にそれぞれ裏面に向けて押し出し形成された突起状の嵌合突起３１２およびストッパ３１３が、ブラケット２Ａの上縁に内側を向くように形成された前後のガイド片２４，２４を乗り越えてその後方側に落とし込まれる。この場合、前記嵌合突起３１２およびストッパ３１３がそれぞれのガイド片２４，２４を乗り越えることができるように、支持軸３５の断面Ｄ状の軸部３５ａの上端側の平坦面とスライド溝部２６２の平坦な上縁との間には遊びが形成されている。
【００６８】
前述したように、商品載置台３Ａの上面壁３１Ａの左右両端部にそれぞれ裏面に向けて押し出し形成された突起状の嵌合突起３１２およびストッパ３１３がブラケット２Ａの上縁に形成した前後のガイド片２４，２４を乗り越えてその後方側に落とし込まれると、嵌合突起３１２およびストッパ３１３がガイド片２４，２４に係合する一方、支持軸３５がスライド溝部２６２に嵌合することにより商品載置台３Ａの前後方向の移動が規制され、商品展示台３Ａは商品見本８０を展示する展示位置にセットされる。この状態で、商品展示台３Ａの前面壁３３Ａに形成した係止部３３２に価格表示部材７４を前面にして冷温表部材７２を重ね合わせた商品情報表示部品７を装着する。この場合、商品情報表示部品７は、左端部若しくは右端部と中央部の係止突起３３３，３３３の間に位置させたうえで、係止部３３２，３３３の上方から商品情報表示部品７の背面を前面壁３３Ａに沿わせつつ係止部３３２の保持溝に挿入する。これにより商品情報表示部品７はディスプレイ台１Ａの前面に係止保持される。
【００６９】
前述したように、ブラケット２Ａの異形溝２６に支持軸３５を嵌合させて商品載置台３Ａを商品展示位置にセットするとともに商品載置台３Ａの前面壁３３Ａの係止部３３２に商品情報表示部品７を装着したディスプレイ台１Ａは、図７，図１３に示すように、商品載置台３Ａに載置された複数の商品見本８０を起立姿勢で展示している。そして、ディスプレイ台１Ａの前面に位置する商品情報表示部品７によりそれぞれの商品見本８０のコールド，ホット状態を表す冷温情報７１および価格情報の価格情報７３（図７、図９参照）が表示される。この場合、商品情報表示部品７の冷温情報７１および価格情報７３は商品載置台３Ａの前面壁３３Ａに形成された光透過窓３３１の前方に位置しており、ディスプレイ台１Ａの内部に配設された蛍光灯９により照射される。ここで、前記商品情報表示部品７を保持する係止部３３２は、ディスプレイ室５０（図１３参照）の前面を覆う透明板４０の前面に配設された商品選択ボタンユニット９０の背後に位置しており、自動販売機の正面からは商品選択ボタンユニット９０に隠れて見えないようになっている。なお、図１３において、９００は商品選択ボタンユニット９０を透明板４０に取付けるための取付金具である。この取付金具９００は商品選択ボタンユニット９０の幅に対応する幅を有する断面コ字状の横長帯状に形成されている。また、この実施の形態における商品見本８０は、商品を縦方向に半分に切断した半割りタイプのものである。
【００７０】
さて、この実施の形態２に係るシート状商品見本８１を起立姿勢でディスプレイ台１Ａに展示するための商品見本展示用アタッチメント６Ｄ（図７、図１２、図１３参照）の基本構成は、実施の形態１に係る商品見本展示用アタッチメント６と同一である。すなわち、ディスプレイ台１Ａから取外した状態を示す図１２から分かるように、商品見本展示用アタッチメント６Ｄは、横長帯状の透明板部６１Ｄおよび当該透明板部６１Ｄの上部に連ねて形成された保持部６２Ｄからなるプラスチック成形品からなる。前記保持部６２Ｄは前方側に凸の湾曲状に形成されており、その湾曲に沿ってそれぞれ一条の保持溝６２１Ｄが形成され、前記保持溝６２１Ｄの内壁には互い違いに噛み合う鋸歯状に形成されて両者の鋸歯の先端の間に微小間隙が生じるように構成されている。この実施の形態２に係る商品見本展示用アタッチメント６Ｄが実施の形態１に係る商品見本展示用アタッチメント６と相違する点は、実施の形態１に係る商品見本展示用アタッチメント６が商品情報デジタルディスプレイ４の化粧枠４３に形成された左右の係止爪４３３の間の間隔に相当する横幅を有するものである、つまり、ディスプレイ台１の左右方向の略横幅に相当するものであるのに対し、前記ディスプレイ台１Ａの横幅方向にｎ分割（ｎ＜２以上の整数）されてなる点である。具体的には、ディスプレイ台１Ａの横幅方向に２分割され、ディスプレイ台１Ａを構成する商品載置台３Ａに形成された１２個の係合穴３１１Ａ（図７，図８参照）の１／２である６個の保持部６２Ｄを備えたものとして構成されている。
【００７１】
次に、前記商品見本展示用アタッチメント６Ｄのディスプレイ台１Ａへの取付けについて説明する。前記商品見本展示用アタッチメント６Ｄは、その透明板部６１Ｄを、ディスプレイ台１Ａの前面壁３３Ａに沿って配設された商品情報表示部品７に並べて装着することによりディスプレイ台１Ａの前面に配備される。具体的には、商品情報表示部品７を構成するところの、前後に重ね合わせて配備された価格表示部材７４と冷温表示部材７２との間に商品見本展示用アタッチメント６Ｄの透明板部６１Ｄを挿入し、前記価格表示部材７４と冷温表示部材７２とにより透明板部６１Ｄを挟持固定する。このように、ディスプレイ台１Ａに装着された商品見本展示用アタッチメント６Ｄの保持部６２Ｄにおける保持溝６２１Ｄにはシート状商品見本８１が挿入される。この場合、シート状商品見本８１は下端の一部のみが保持溝６２１Ｄに挿入された状態で保持部６２Ｄに保持されることとなるが、保持溝６２１Ｄが湾曲していることからシート状商品見本８１も保持溝６２１Ｄの湾曲に倣って横断面が前方側に凸となるように湾曲した状態で起立する。このように、シート状商品見本８１を湾曲させて保持することにより薄いプラスチックシートからなるシート状商品見本８１を安定した起立姿勢に維持することができる。そして、商品見本展示用アタッチメント６Ｄの複数の保持部６２Ｄ及び商品載置台３Ａの複数の係合穴３１１Ａにシート状商品見本８１及び立体状の商品見本８０を適宜取付けることにより、シート状商品見本８１及び立体状の商品見本８０を同一のディスプレイ台１Ａに並べて展示することができる。
【００７２】
なお、前記商品見本展示用アタッチメント６Ｄがディスプレイ台１Ａの横幅方向にｎ分割されていることから、必要な箇所にのみ商品見本展示用アタッチメント６Ｄが取付けられる、言い換えれば、立体状の商品見本８０が展示された箇所の前面には商品見本展示用アタッチメント６Ｄが存在しないこととなるので、立体状の商品見本８０の外観を損なうことがないものである。
【００７３】
前述した本発明の実施の形態２に係る自動販売機の商品見本展示装置によれば、本体キャビネット１０の前面を開閉する外扉２０に形成されたディスプレイ室５０内に配設され、立体状の商品見本８０を嵌合保持する複数の係合穴３１１Ａを有するディスプレイ台１Ａと、前記ディスプレイ台１Ａの前面に配設され、当該ディスプレイ台１Ａ上に展示された複数の商品見本８０に対応して商品情報を表示する商品情報表示部品７を備えてなる自動販売機の商品見本展示装置において、前記ディスプレイ台１Ａの前面に配設されて当該ディスプレイ台１Ａに係止固着される横長帯状の透明板部６１Ｄ、及び当該透明板部６１Ｄの上部に連なる態様で前記立体状の商品見本８０を嵌合保持する複数の係合穴３１１Ａに対応して複数形成され、平板状に復元可能な可撓性を有するシート状商品見本８１の下端を保持する一条の保持溝６２１Ｄを有し、かつ、前記一条の保持溝６２１Ｄを前方側に凸となるように湾曲状に形成した複数の保持部６２Ｄとからなり、前記保持溝６２１Ｄに挿入されたシート状商品見本８１の下端をその湾曲に倣って前方側に凸となるように湾曲させた状態で保持することによりシート状商品見本８１を起立姿勢に維持して展示する商品見本展示用アタッチメント６Ｄを設け、当該商品見本展示用アタッチメント６Ｄの透明板部６１Ｄを前記商品情報表示部品７に並べて装着したことにより、シート状商品見本８１を展示する商品見本展示用アタッチメント６Ｄを立体状の商品見本８０を展示するディスプレイ台１Ａに追加装備することができるので、立体状の商品見本８０とシート状商品見本８１を一つのディスプレイ台１Ａに混合して展示することができ、また、前記商品見本展示用アタッチメント６Ｄの保持部６２Ｄに形成された湾曲した保持溝６２１Ｄに下端を保持されたシート状商品見本８１が保持溝６２１Ｄの湾曲に倣って湾曲するので、その剛性を高めることができ、シート状商品見本８１を安定した起立姿勢に維持することができる。
【００７４】
ここで、上記実施の形態２においては、ディスプレイ台１Ａの前面（下面が開放した横長の箱形の商品載置台３Ａの前面壁３３Ａの前面）に冷温表示部材７２と価格表示部材７４と重ねて配設したものについて説明したが、ディスプレイ台１Ａの内部（商品載置台３Ａの前面壁３３Ａの背後）に商品価格を表す価格情報を表示するデジタルディスプレイユニットを配設し、ディスプレイ台１Ａの前面（商品載置台３Ａの前面壁３３Ａの前面）に冷温表示部材を配設したものも知られており（例えば、特開２００８−２１２４０号公報）、この場合には、商品見本展示用アタッチメント６Ａの透明板部６１Ａを冷温表示部材と商品載置台３Ａの前面壁３３Ａとの間に挿入すればよいものである。また、ディスプレイ台１Ａの前面に光を拡散するフィルター部材などを配設したものでは、商品見本展示用アタッチメント６Ａの透明平板部６１Ａをフィルター部材に重畳させて取付けることもできる。したがって、商品情報表示部品とは、商品のコールド，ホット状態を表す冷温情報、及び商品価格を表す価格情報を直接的に表示するものに限らず、その付属部品をも含むものである。
【００７５】
なお、上記各実施の形態においては、保持溝６２１，６２１Ａ〜６２１Ｄが一条の連続した溝からなる形態について説明したが、例えば、保持溝６２１，６２１Ａ〜６２１Ｄが連続しておらずに細切れに分散されたものであってもよく、また、溝の代わりに複数の突起を並設して微小間隙を形成することもできる。したがって、一条の保持溝６２１，６２１Ａ〜６２１Ｄとはシート状商品見本８１を湾曲した状態で保持できるものを総称するものであり、前述した実施の形態によりこの発明が限定されるものではない。
【符号の説明】
【００７６】
１，１Ａ…ディスプレイ台、２…固定部材（ブラケット）、３，３Ａ…商品載置台、４…商品情報デジタルディスプレイ、５…取付金具、６，６Ａ，６Ｂ，６Ｃ，６Ｄ…商品見本展示用アタッチメント、７…商品情報表示部品、１０…本体キャビネット、２０…外扉、３０…内扉、４１…液晶表示部、４２…デジタル表示ユニット、５０…ディスプレイ室、６０…中扉、６１，６１Ｂ，６１Ｃ，６１Ｄ…透明板部、６２，６２Ａ，６２Ｂ，６２Ｃ，６２Ｄ…保持部、６３…挟持溝（係合部）、６４…係止穴（係合部）、７２…冷温表示部材、７４…価格表示部材、８０…（立体状の）商品見本、８１…シート状商品見本、３１１…係合部、６２１，６２１Ａ，６２１Ｂ，６２１Ｃ，６２１Ｄ…保持溝、８００…表示具、８０２…広告表示板、８０３…冷温強調板、８１１…切欠。
【図１】
0005780037.tif 000002
【図２】
0005780037.tif 000003
【図３】
0005780037.tif 000004
【図４】
0005780037.tif 000005
【図５】
0005780037.tif 000006
【図６】
0005780037.tif 000007
【図７】
0005780037.tif 000008
【図８】
0005780037.tif 000009
【図９】
0005780037.tif 000010
【図１０】
0005780037.tif 000011
【図１１】
0005780037.tif 000012
【図１２】
0005780037.tif 000013
【図１３】
0005780037.tif 000014
【図１４】
0005780037.tif 000015